(57)【要約】  【課題】  プーリを容易に回転させることができない場合でも、ベルトの取付け作業を速やかに行うことができるベルト取付け治具及びベルト取付け方法を提供する。  【解決手段】  ベルト取付け治具４は、プーリ３の径方向外側に配置されてプーリ３の回転軸３ｂを中心に回転可能な治具本体１０と、治具本体１０からプーリ３の一方の面に沿って延びるプーリガイド１１と、プーリ３の外周部に沿って延びるベルト保持部２０と、プーリ３の他方の面側においてベルト保持部２０からプーリ３の径方向内側へ傾斜して延びるベルト支持部２１と、このベルト支持部２１からプーリ３の他方の面に沿って突出するガイド部２２とを有する。そして、治具本体１０を回転させることによりベルト保持部２０を周方向に回転させて、ベルト支持部２１に支持されたベルト１のＶリブをプーリ３のプーリ溝に係合させる。【選択図】  図２
2006064125.tif 000002
【特許請求の範囲】
【請求項１】
ベルト長手方向に延びる複数のＶリブを有するベルトを、前記複数のＶリブが夫々係合する複数のプーリ溝を有する２以上の複数のプーリに架け渡して取り付ける為のベルト取付け治具であって、
前記複数のプーリに含まれる所定のプーリの径方向外側に配置され、この所定のプーリの回転軸を中心に回転可能な治具本体と、
前記治具本体から前記所定のプーリの一方の面に沿って延びる第１のガイド部と、
前記治具本体に一体的に設けられ、且つ、前記複数のプーリ溝が形成された前記所定のプーリの外周部に沿って延びて前記ベルトを内側から保持する板状のベルト保持部と、
前記所定のプーリの他方の面側において、前記ベルト保持部から前記所定のプーリの径方向内側へ傾斜して延びるベルト支持部と、
このベルト支持部から前記所定のプーリの他方の面に沿って突出する第２のガイド部と、
を有することを特徴とするベルト取付け治具。
【請求項２】
請求項１に記載のベルト取付け治具を用いて、ベルト長手方向に延びる複数のＶリブを有するベルトを、前記複数のＶリブが夫々係合する複数のプーリ溝を有する２以上の複数のプーリに架け渡して取り付けるベルト取付け方法であって、
前記複数のプーリに含まれる所定のプーリを除く他のプーリに前記ベルトを架ける第１工程と、
前記第１のガイド部と第２のガイド部を夫々前記所定のプーリの両面に当接又は近接させた状態で、前記治具本体を前記所定のプーリの回転軸を中心に回転自在に設置する第２工程と、
前記ベルトを前記ベルト保持部から前記ベルト支持部及び前記第１のガイド部に沿わせる第３工程と、
前記治具本体を前記所定のプーリの回転軸を中心に回転させて、前記ベルトを前記ベルト保持部から前記所定のプーリの外周部へ移動させながら、ベルトのＶリブを前記所定のプーリのプーリ溝に係合させる第４工程と、
を備えたことを特徴とするベルト取付け方法。
【請求項３】
前記第１工程の前に、前記所定のプーリの何れか一方の面に、リング状のサポート部材を装着し、
前記第４工程において、前記第１のガイド部と前記第２のガイド部の何れか一方と前記所定のプーリとの間に前記サポート部材を介在させた状態で、治具本体を前記所定のプーリの回転軸を中心に回転させることを特徴とする請求項２に記載のベルト取付け方法。
【請求項４】
前記所定のプーリの面に、取付け孔を有する連結金具を前記取付け孔が前記所定のプーリの回転軸の位置に一致するように取り付け、
前記第２工程において、前記治具本体の回転軸を前記取付け孔に嵌合させて、前記治具本体を前記連結金具を介して前記所定のプーリに連結することを特徴とする請求項２又は３に記載のベルト取付け方法。
【発明の詳細な説明】
【技術分野】
【０００１】
本発明は、２以上の複数のプーリにベルトを取り付ける為のベルト取付け治具及びベルト取付け方法に関する。
【背景技術】
【０００２】
従来から、ベルトを複数のプーリに取り付ける為のベルト取付け治具としては種々のものがあるが、例えば、２つのプーリ間にベルトを架け渡す場合には、２つのプーリを夫々回転させながら取り付けるように構成された治具がよく用いられる。一方、特許文献１には、プーリの一方の面に沿って延びる脚部と、プーリの一方の面側に位置してベルトをプーリの外周部へ案内する案内部とを有し、プーリの外周部に沿って移動可能なベルト取付け治具（マウンティングツール）が開示されている。この治具を用いれば、プーリを回転させなくても、治具をプーリの周方向に移動させながら案内部によりベルトをプーリの外周部へ案内することで、ベルトをプーリに取り付けることができる。
【０００３】
【特許文献１】特開平１０−１８４８１３号公報（図５、図６）
【発明の開示】
【発明が解決しようとする課題】
【０００４】
自動車用エンジンのクランクプーリ等、重量が大きく回転させることが困難なプーリにベルトを取り付ける場合には、各プーリを回転させてベルトを移動させながらベルトをプーリに取り付ける従来の取付け治具は使用できない。一方、特許文献１に記載のベルト取付け治具を用いれば、この治具をプーリの外周部に沿って移動させることにより、プーリを回転させなくてもベルトをプーリに取り付けることができるため、回転させることが困難なプーリにもベルトを取り付けることができる。しかし、この治具をプーリの周方向に案内する為の部材としては、プーリの一方の面側に関しては脚部が設けられているものの、他方の面側に関しては何ら設けられていないため、ベルトに強い引張り力が作用する状態で治具をプーリの外周部に沿って安定的に移動させることは容易ではなく、ベルトの取付け作業を速やかに行うことができない。
【０００５】
本発明の目的は、プーリを容易に回転させることができない場合でも、ベルトの取付け作業を速やかに行うことができるベルト取付け治具及びベルト取付け方法を提供することである。
【課題を解決するための手段及び発明の効果】
【０００６】
第１の発明のベルト取付け治具は、ベルト長手方向に延びる複数のＶリブを有するベルトを、前記複数のＶリブが夫々係合する複数のプーリ溝を有する２以上の複数のプーリに架け渡して取り付ける為のベルト取付け治具であって、前記複数のプーリに含まれる所定のプーリの径方向外側に配置され、この所定のプーリの回転軸を中心に回転可能な治具本体と、前記治具本体から前記所定のプーリの一方の面に沿って延びる第１のガイド部と、前記治具本体に一体的に設けられ、且つ、前記複数のプーリ溝が形成された前記所定のプーリの外周部に沿って延びて前記ベルトを内側から保持する板状のベルト保持部と、前記所定のプーリの他方の面側において、前記ベルト保持部から前記所定のプーリの径方向内側へ傾斜して延びるベルト支持部と、このベルト支持部から前記所定のプーリの他方の面に沿って突出する第２のガイド部とを有することを特徴とするものである。
【０００７】
このベルト取付け治具は、複数のプーリのうちの所定のプーリ以外のプーリにベルトを架けてから、最後に、前記所定のプーリにベルトを取り付けていく際に用いられる。そして、このベルト取付け治具によれば、ベルトを内側から保持するベルト保持部を、治具本体と一体的にプーリの回転軸を中心に回転させてプーリの周方向に移動させることにより、ベルトをプーリの外周部へ移動させて、Ｖリブをプーリ溝に係合させることができるため、回転させることが困難なプーリに対しても容易にベルトを取り付けることができる。
【０００８】
また、所定のプーリの外周部に取り付けられる前のベルトの部分はベルト保持部からプーリの径方向内側へ傾斜するベルト支持部により支持されるため、ベルト支持部により、大きく屈曲せずに緩やかに曲がった状態でベルトを支持しながら、このベルトをベルト保持部からプーリの外周部へスムーズに移動させることが可能になる。さらに、所定のプーリの一方の面に沿って延びる第１のガイド部と、他方の面に沿って延びる第２のガイド部によりプーリの周方向に案内された状態で、治具本体がプーリの回転軸を中心に回転するようになっているため、治具本体を安定的に回転させることができ、ベルトの取付け作業を速やかに行うことができる。また、ベルトを第２のガイド部に押しつけながら治具本体を回転させることにより、ベルトを反転させることなくプーリに取り付けることが可能になる。
【０００９】
第２の発明のベルト取付け方法は、前述の第１の発明のベルト取付け治具を用いて、ベルト長手方向に延びる複数のＶリブを有するベルトを、前記複数のＶリブが夫々係合する複数のプーリ溝を有する２以上の複数のプーリに架け渡して取り付けるベルト取付け方法であって、前記複数のプーリに含まれる所定のプーリを除く他のプーリに前記ベルトを架ける第１工程と、前記第１のガイド部と第２のガイド部を夫々前記所定のプーリの両面に当接又は近接させた状態で、前記治具本体を前記所定のプーリの回転軸を中心に回転自在に設置する第２工程と、前記ベルトを前記ベルト保持部から前記ベルト支持部及び前記第１のガイド部に沿わせる第３工程と、前記治具本体を前記所定のプーリの回転軸を中心に回転させて、前記ベルトを前記ベルト保持部から前記所定のプーリの外周部へ移動させながら、ベルトのＶリブを前記所定のプーリのプーリ溝に係合させる第４工程とを備えたことを特徴とするものである。このベルト取付け方法によれば、前述の第１の発明と同様に、ベルト保持部及びベルト支持部によりベルトを所定のプーリの外周部へスムーズに移動させることができる。
【００１０】
第３の発明のベルト取付け方法は、前記第２の発明において、前記第１工程の前に、前記所定のプーリの何れか一方の面に、リング状のサポート部材を装着し、前記第４工程において、前記第１のガイド部と前記第２のガイド部の何れか一方と前記所定のプーリとの間に前記サポート部材を介在させた状態で、治具本体を前記所定のプーリの回転軸を中心に回転させることを特徴とするものである。従って、第１のガイド部及び第２のガイド部が、所定のプーリの両面に、より確実に近接又は当接するため、所定のプーリと第１のガイド部及び第２のガイド部との間のがたつきを防止でき、治具本体を安定的に移動させることができる。さらに、プーリの一方の面にサポート部材を装着することにより、サポート部材でプーリを補強することができる。
【００１１】
第４の発明のベルト取付け方法は、前記第２又は第３の発明において、前記所定のプーリの面に、取付け孔を有する連結金具を前記取付け孔が前記所定のプーリの回転軸の位置に一致するように取り付け、前記第２工程において、前記治具本体の回転軸を前記取付け孔に嵌合させて、前記治具本体を前記連結金具を介して前記所定のプーリに連結することを特徴とするものである。このように、連結金具を介して治具本体を所定のプーリに連結することにより、治具本体を所定のプーリの回転軸を中心に確実に回転させることができる。また、所定のプーリを人力等により簡単に回転させることができる場合には、治具本体を所定のプーリと一体的に回転させることが可能になり、ベルトの取付け作業がより容易になる。
【発明を実施するための最良の形態】
【００１２】
本発明の実施の形態について図１〜図６を参照して説明する。尚、図１、図２における手前側を前方と定義して以下説明する。本実施形態は、２つのプーリにベルトを架け渡して取り付ける場合に本発明を適用した一例である。本実施形態のベルト１は、内側部分においてベルト長手方向に延びる複数のＶリブ１ａ（図４参照）を有するＶリブドベルトであり、このベルト１が架け渡される２つのプーリ２，３の外周部には、夫々、ベルト１のＶリブ１ａが係合するプーリ溝（プーリ２のプーリ溝は図示省略、プーリ３のプーリ溝３ａは図３、図４参照）が形成されている。また、２つのプーリ２，３のうち、径が大きい方のプーリ２は、例えば、自動車用エンジンのクランクプーリなどの重量の大きなプーリであり、このプーリ２を人力で回転させることは困難である。一方、径が小さい方のプーリ３は、ウォーターポンプ等の補機用のプーリであり、このプーリ３は人力で容易に回転させることが可能になっている。そして、本実施形態では、ベルト１を径の大きなプーリ２に架けた状態で、図１〜図４に示す次述のベルト取付け治具４を用いてベルト１を径の小さなプーリ３に架けることにより、ベルト１を２つのプーリ２，３に架け渡して取り付ける。
【００１３】
図１〜図４に示すように、複数のＶリブ１ａを有するベルト１を２つのプーリ２，３に取り付ける為のベルト取付け治具４は、プーリ３の径方向外側に配置され、このプーリ３の回転軸３ｂ（図２参照）を中心に回転可能な治具本体１０と、この治具本体１０からプーリ３の後面に沿って延びるプーリガイド１１（第１のガイド部）と、治具本体１０に固定され、且つ、プーリ３の前面側に位置する板状の保持部材１２とを備えている。
【００１４】
図２〜図４に示すように、治具本体１０は、プーリ３の外周部から径方向外側に延びるように配置される金属製の板状の部材であり、この治具本体１０には、前後方向（図２の紙面垂直方向）に延びるロッド１５が設けられている。尚、プーリ３の前面には、操作具５０の回転軸５１が嵌合する取付け孔１６ａを有する正面視略矩形状の連結金具１６が、取付け孔１６ａの位置がプーリ３の回転軸３ｂと一致するように２つのボルト１４で固定されている。そして、この連結金具１６を介してプーリ３に操作具５０（図４参照）が連結されており、この操作具５０はプーリ３の回転軸３ｂを中心にプーリ３と一体的に回転可能である。尚、図４における連結金具１６は、その断面がわかりやすいように、この連結金具１６の長手方向が上下方向である状態での断面で示されている。また、治具本体１０に設けられたロッド１５には、操作具５０の把持部５２に固定的に設けられた筒部５３が外嵌可能である。従って、ロッド１５に筒部５３を外嵌させた状態で、操作具５０をプーリ３の回転軸３ｂを中心に回転させることにより、治具本体１０がプーリ３と一体的に回転して、プーリ３の周方向に移動するようになっている。
【００１５】
治具本体１０の後面部には、断面Ｌ字形の連結部材１７が４つのボルト１８を介して連結されており、この連結部材１７の後方へ突出する突出部１７ａには、下方へ延びるプーリガイド１１がボルト１９で固定されている。このプーリガイド１１は、プーリ３の後面に沿ってプーリ３の外周部よりもさらに径方向内側へ延びている。尚、治具本体１０と連結部材１７を連結する４つのボルト１８は、治具本体１０に上下方向に延びるように形成された２つの長穴１０ａに挿通されており、長穴１０ａ内におけるボルト１８の位置を適宜調節することにより、プーリガイド１１の治具本体１０に対する位置を調整できるようになっている。
【００１６】
保持部材１２は、複数のプーリ溝３ａが形成されたプーリ３の外周部に沿って延びるベルト保持部２０と、プーリ３の前面においてベルト保持部２０からプーリ３の径方向内側へ傾斜して延びるベルト支持部２１と、このベルト支持部２１からプーリ３の前面に沿って突出するガイド部２２（第２のガイド部）とが一体形成された板状の部材である。
【００１７】
この保持部材１２は、治具本体１０の下端部に溶接止めされている。そして、ベルト保持部２０は、プーリ３の外周部に形成された複数のプーリ溝３ａの径方向外側に近接して配置され、治具本体１０と一体的にプーリ３の周方向に移動可能である。そして、ベルト１がプーリ３に取り付けられる際には、プーリ溝３ａにＶリブ１ａが係合する直前のベルト１の部分がこのベルト保持部２０により内側から保持される。
【００１８】
ベルト支持部２１は、ベルト保持部２０の周方向端部（図２における右端部）の前側部分からプーリ３の径方向内側へ傾斜して延びている。そして、ベルト１の取付け時には、このベルト支持部２１により、ベルト保持部２０で保持される直前のベルト１の部分を大きく屈曲させることなく緩やかに曲げた状態で支持して、ベルト１をスムーズにベルト保持部２０へ移動させることができるようになっている。
【００１９】
ガイド部２２は、ベルト支持部２１からプーリ３の前面に沿って周方向に延びている。そして、図４に示すように、プーリ３の両面の外側に、プーリガイド１１とガイド部２２が夫々位置している。従って、治具本体１０は、プーリガイド１１とガイド部２２によりプーリ３の周方向に案内された状態で、プーリ３の回転軸３ｂを中心に回転するように構成されている。
【００２０】
次に、このベルト取付け治具４を用いてベルト１をプーリ３に取り付けるベルト取付け方法について説明する。
まず、図２、図４に示すように、プーリ３の前面にリング状のサポート部材３０を装着する。このサポート部材３０は、プーリ３の補強、及び、プーリ３とガイド部２２との間に介在することにより、プーリ３の両面とプーリガイド１１及びガイド部２２とを近接又当接させることを目的として装着されるものである。そして、図１のように、径の大きなプーリ３にベルト１を架ける（第１工程）。また、径の小さなプーリ３の前面には、その取付け孔１６ａの位置がプーリ３の回転軸３ｂに一致するように連結金具１６を固定する。
【００２１】
次に、図４に示すように、ガイド部２２とプーリ３の前面との間にサポート部材３０を介在させて、プーリ３の両面とプーリガイド１１及びガイド部２２とを近接又は当接させた状態で、治具本体１０に設けられたロッド１５に操作具５０の筒部５３を外嵌させてから、操作具５０の回転軸５１を連結金具１６の取付け孔１６ａに嵌合させて、プーリ３の径方向外側に、治具本体１０をプーリ３の回転軸３ｂを中心に回転可能に設置する（第２工程）。
【００２２】
また、治具本体１０をプーリ３の径方向外側に設置すると同時に、図１、図２に示すように、ベルト１を、ベルト保持部２０からベルト支持部２１及びガイド部２２に沿わせる（第３工程）。そして、操作具５０の把持部５２を握って操作具５０を回転させることにより、図５に示すように、治具本体１０をプーリ３の回転軸３ｂを中心に図１の時計回りの方向にプーリ３と一体的に回転させて、ベルト１を内側から保持するベルト保持部２０をプーリ３の周方向に移動させる。そして、ベルト支持部２１により支持されているベルト１の部分をベルト保持部２０からプーリ３の外周部へプーリ３に対して相対的に移動させながら、ベルト１のＶリブ１ａをプーリ３のプーリ溝３ａに係合させていく（第４工程）。尚、治具本体１０（操作具５０）の回転軸５１は、プーリ３の前面に取り付けられた連結金具１６を介してプーリ３に連結されており、治具本体１０とプーリ３とが確実に連結されているため、これら治具本体１０とプーリ３とを一体的に回転させることは容易である。
【００２３】
ここで、治具本体１０がプーリ３の回転軸３ｂを中心に回転してプーリ３の周方向に移動する際に、治具本体１０はプーリガイド１１及びガイド部２２によりプーリ３の周方向に案内されるため、治具本体１０を安定的に回転させることができる。さらに、ガイド部２２とプーリ３との間にリング状のサポート部材３０が介在しており、プーリ３の両面とプーリガイド１１及びガイド部２２とが近接又は当接していることから、プーリガイド１１及びガイド部２２とプーリ３との間のがたつきが防止されて、治具本体１０をより安定的に回転させることができる。
【００２４】
また、ベルト１は、ベルト保持部２０からベルト支持部２１に沿って配置され、さらに、ベルト支持部２１は、プーリ３の前面側においてベルト保持部２０からプーリ３の径方向内側に傾斜して延びているため、ベルト１を大きく屈曲させることなく緩やかに曲げた状態で支持して、このベルト１の部分をスムーズにベルト保持部２０へ移動させることができる。また、治具本体１０を回転させるときの抵抗も小さくなる。さらに、ベルト１を、ベルト支持部２１から突出するガイド部２２の前面に強く押しつけながら治具本体１０を回転させることにより、ベルト１を反転させることなくプーリ３の外周部に取り付けていくことが可能である。
【００２５】
尚、図５に示すように、治具本体１０を回転させていくと、ベルト１に作用する引張り力が大きくなっていくが、そのときに、ベルト１の背面（Ｖリブ１ａが形成された面と反対側の面）を手前に向けることにより、ベルト１の捻れを防止することができる。
【００２６】
そして、図６に示すように、ベルト１のＶリブ１ａが完全にプーリ溝３ａに係合して、ベルト１がプーリ３に取り付けられると、ベルト取付け治具４及び連結金具１６をプーリ３から取り外し、ベルト１の取付け作業を終了する。
【００２７】
以上説明したベルト取付け治具４及びこのベルト取付け治具４を用いたベルト取付け方法によれば、次のような効果が得られる。
ベルト１を内側から保持するベルト保持部２０を、治具本体１０と一体的に回転させてプーリ３の周方向に移動させることにより、ベルト保持部２０により保持されたベルト１の部分をプーリ３の外周部へ移動させて、Ｖリブ１ａをプーリ溝３ａに係合させることができるため、一方のプーリ２を回転させることが困難な場合でも、容易にベルト１を取り付けることができる。
【００２８】
プーリ３に取り付けられる前のベルト１の部分はベルト保持部２０からプーリ３の径方向内側へ傾斜するベルト支持部２１により支持されるため、ベルト支持部２１により、ベルト１が大きく屈曲せず緩やかに曲がった状態でベルト１を支持しながら、このベルト１をベルト保持部２０からプーリ３の外周部へスムーズに移動させることが可能になる。
【００２９】
また、プーリ３の後面に沿って延びるプーリガイド１１と、プーリ３の前面に沿って延びるガイド部２２によりプーリ３の周方向に案内された状態で、治具本体１０がプーリ３の回転軸３ｂを中心に回転するため、治具本体１０を安定的に回転させることができ、ベルト１の取付け作業を速やかに行うことができる。さらに、プーリ３の前面とガイド部２２との間にリング状のサポート部材３０を介在させることにより、プーリガイド１１とガイド部２２とを、より確実にプーリ３の両面に近接又は当接させることができるため、プーリ３の両面とプーリガイド１１及びガイド部２２との間のがたつきを防止でき、治具本体１０をより安定的に回転させることができる。さらに、サポート部材３０によりプーリ３が補強されるという効果も得られる。
【００３０】
次に、前記実施形態に種々の変更を加えた変更形態について説明する。
１］前記実施形態においては、リング状のサポート部材３０をプーリ３の前面部に装着しているが、サポート部材３０をプーリ３の後面部に装着して、プーリ３とプーリガイド１１との間に介在させるようにしてもよい。さらには、サポート部材３０をプーリ３の両面に装着してもよい。
【００３１】
２］前記実施形態では、２つのプーリ２，３のうち一方のプーリ３を容易に回転させることができるようになっているが、両方のプーリ２，３とも容易に回転させることができない場合でも本発明を適用できる。この場合には、治具本体１０及び保持部材１２をプーリ３に対して相対的に回転させて、ベルト保持部２０、ベルト１とプーリ３との間において、プーリ３の外周部に沿って移動させることで、ベルト保持部２０に保持されたベルト１をプーリ３の外周部に移動させて、ベルト１をプーリ３に取り付けることができる。
【００３２】
３］３以上のプーリにベルトを架け渡して取り付ける場合にも本発明を適用できる。この場合には、最後に架けられるプーリにベルトを取り付けるときに、本発明のベルト取付け治具及びベルト取付け方法を用いればよい。
【図面の簡単な説明】
【００３３】
【図１】本発明の実施形態に係るベルト取付け治具によりベルトをプーリに取り付ける前の状態を示す図である。
【図２】プーリ及びベルト取付け治具の正面図である。
【図３】図２のプーリ及び保持部材のIII-III線矢視図である。
【図４】図２のIV-IV線断面図である。
【図５】ベルト取付け治具によるベルト取付け途中の状態を示す図である。
【図６】ベルトの取付けが終了した状態を示す図である。
【符号の説明】
【００３４】
１  ベルト
１ａ  Ｖリブ
２  プーリ
３  プーリ
３ａ  プーリ溝
３ｂ  回転軸
４  ベルト取付け治具
１０  治具本体
１１  プーリガイド
１６  連結金具
２０  ベルト保持部
２１  ベルト支持部
２２  ガイド部
３０  サポート部材
【図１】
2006064125.tif 000003
【図２】
2006064125.tif 000004
【図３】
2006064125.tif 000005
【図４】
2006064125.tif 000006
【図５】
2006064125.tif 000007
【図６】
2006064125.tif 000008